(57)【特許請求の範囲】
【請求項１】
ボディの底面に取着される固定片及びこの固定片の両側から前記ボディの上方に向けて延出する一対の側片を有したフレームと、このフレームの側片間に回動自在に支持されるハンドルと、前記フレームの側片間に配設されるとともに前記ハンドルにリンクを介して略中央部が連結され、前記ハンドルの回動操作により駆動される作動板と、前記フレームに回動自在に枢支され、前記作動板の一端側を係止する方向の力を蓄積した状態で前記作動板の一端側を係止する引外し板と、前記作動板の一端側が前記引外し板に係止されている状態で前記ハンドルを回動操作したときに前記作動板の他端側で抑圧される駆動体と、前記フレームの両側に配設され、前記駆動体に抑圧されて閉極する接点と、この接点に過電流が流れたときに前記引外し板を駆動して前記作動板との係止状態を解除し、前記接点を強制開極するバイメタルと、を備えた回路遮断器において、 前記引外し板の略中央部を前記フレームの一対の側片間に配設して該一対の側片にピンを介して回動自在に枢支し、前記略中央部から一方側に前記作動板を係止させるとともに前記略中央部から他方側を前記バイメタルに対して平行に配置し、且つ前記引外し板の枢支点よりも他方側を前記ハンドルを前記フレームの一対の側片間に回動自在に枢支するハンドルピンに当接させて前記引外し板の回動を規制して成ることを特徴とする回路遮断器。
【請求項２】
前記バイメタルを前記ボディの長手方向に沿って延出させるとともに前記接点の少なくとも一方の上側に配設したことを特徴とする請求項１記載の回路遮断器。
【発明の詳細な説明】
【０００１】
【発明の属する技術分野】
本発明は、ハンドルのオンオフ操作により駆動体を押圧して接点を開閉駆動する回路遮断器に関する。
【０００２】
【従来の技術】
この種の回路遮断器としては特公昭６１−４５３３７号公報に示されているような回路遮断器が従来からある。
【０００３】
この従来例では図１９に示すようにボディ１００上に配設されたフレーム１０１の対向する２つの側片間にハンドル１０２を配設し、このハンドル１０２の下端にリンク１０３を介して作動板１０４を支持させている。そしてオン時にハンドル１０２の下端に作動板１０４の一端が当接して作動板１０４の他端が引外し板１０５にラッチされる構造となっている。また、バイメタル１０６はフレーム１０１の一端側の外側で上方向に延出する方向に配設している。
【０００４】
【発明が解決しようとする課題】
上記の従来例の構成では、ハンドル１０２の構造と共に、バイメタル１０６を高さ方向に配設したため、器体のコンパクト化が図れないという問題があった。特に引外し板１０５は下部に回動中心点を設け、中央部に作動板１０４を係止し、上部がバイメタル１０６で押圧される構造であるため、バイメタル１０６の変位によって移動する引外し板１０５の上部の距離と引外し板１０５の中央部が移動する距離とが大きく異なり、そのためバイメタル１０６の少しの変位量では作動板１０４との係止状態を解除できず、バイメタル１０６の変位量を大きくとる必要があり、その結果カバー１０７の内部スペースを広くしなければならず、コンパクト化が図れないという問題があった。
【０００５】
本発明は、かかる事由に鑑みて成されたものであり、その目的とするところは、コンパクト化が図れる回路遮断器を提供することにある。
【００２１】
【課題を解決するための手段】
上記目的を達成するために、請求項１の発明では、ボディの底面に取着される固定片及びこの固定片の両側から前記ボディの上方に向けて延出する一対の側片を有したフレームと、このフレームの側片間に回動自在に支持されるハンドルと、前記フレームの側片間に配設されるとともに前記ハンドルにリンクを介して略中央部が連結され、前記ハンドルの回動操作により駆動される作動板と、前記フレームに回動自在に枢支され、前記作動板の一端側を係止する方向の力を蓄積した状態で前記作動板の一端側を係止する引外し板と、前記作動板の一端側が前記引外し板に係止されている状態で前記ハンドルを回動操作したときに前記作動板の他端側で抑圧される駆動体と、前記フレームの両側に配設され、前記駆動体に抑圧されて閉極する接点と、この接点に過電流が流れたときに前記引外し板を駆動して前記作動板との係止状態を解除し、前記接点を強制開極するバイメタルと、を備えた回路遮断器において、 前記引外し板の略中央部を前記フレームの一対の側片間に配設して該一対の側片にピンを介して回動自在に枢支し、前記略中央部から一方側に前記作動板を係止させるとともに前記略中央部から他方側を前記バイメタルに対して平行に配置し、且つ前記引外し板の枢支点よりも他方側を前記前記ハンドルを前記フレームの一対の側片間に回動自在に枢支するハンドルピンに当接させて前記引外し板の回動を規制して成ることを特徴とする。
【００２６】
請求項２の発明では、請求項１の発明において、前記バイメタルを前記ボディの長手方向に沿って延出させるとともに前記接点の少なくとも一方の上側に配設したことを特徴とする。
【００２７】
【発明の実施の形態】
以下本発明を実施形態により説明する。
（実施形態１）
本実施形態を図１〜図６に基づいて説明する。
【００２８】
本実施形態の回路遮断器の器体は、合成樹脂成形品からなるボディ１及びカバー１６で構成され、ボディ１上にカバー１６を被着した時に外部に露出するボディ１の両端両側には両端において対となる入力用、出力用の端子装置１７ａ、１８ａ及び１７ｂ，１８ｂが配設される端子配設部１９ａ，１９ｂ、２０ａ，２０ｂを隔壁２５ａ，２５ｂにより分離する形で設けてある。図１において左側の各端子配設部１９ａ，１９ｂに配設される入力用の端子装置１７ａ，１７ｂは端子配設部１９ａ，１９ｂ上に一端部を載置し、他端部をカバー１６で被蔽されるボディ１上へ段部を介して延長した端子板２１と、該端子板２１の一端部の上面からスプリングワッシャを含むワッシャ群からなるワッシャ２８を介して下面側に貫通し、端子配設部１９ａ，１９ｂの各凹部２６に配置されるナット２３に螺合する端子ねじ２２とからなるもので、端子板２１の他端部には固定接点２４を上向きに固着してある。
【００２９】
また図１において、右側の端子配設部２０ａ，２０ｂの内の一方２０ｂに配設される出力用の端子装置１８ｂは、端子配設部２０ｂ上に一端部を配設し、他端部をカバー１６で被蔽されるボディ１上へ延長した端子板２７と、該端子板２７の一端部の上面から上記と同様なワッシャ２８を介して下面側に貫通し、端子配設部２０ｂの凹部２６に配置されるナット２３に螺合する端子ねじ２２とからなるもので、他端部は可動ばね板３０Ｂの一端を重ね、該一端と上記他端部とボディ１の底面とに固定ねじ３１を貫通させてボディ１の外側底部に配置したナット３２に螺合締結することにより可動ばね板３０Ｂの一端と共にボディ１に固定される。
【００３０】
更に端子配設部２０ａに配設される出力用の端子装置１８ａは、端子配設部２０ａ上に一端部を配設し、他端部をＬ字状に折り曲げてカバー１６で被蔽されるボディ１上へ延長した端子板３３と、該端子板３３の一端部の上面から上記と同様のワッシャ２８を介して下面側に貫通し、端子配設部２０ｂの凹部２６に配置されるナット２３に螺合する端子ねじ２２とからなるもので、他端部の先端には編組線３４の一端を溶着してある。この編組線３４の他端はバイメタル１０の一端部に溶着してある。
【００３１】
バイメタル１０は一端を可動ばね板３０Ａの一端上に重ね、バイメタル１０の一端と可動ばね板３０Ａの一端とボディ１の底面に固定ねじ３１’を貫通させてボディ１の外側底面に配置したナット３２’に螺合締結することによりボディ１に可動ばね板３０Ａとともに固定される。そしてバイメタル１０は固定部位より略逆Ｌ字状に折り曲げられ、その先部を上方に向けて傾斜延出している。
【００３２】
可動ばね板３０Ａ，３０Ｂはボディ１上の両側に配置され、中間部より上向き斜めに折り曲げられ、その自由端には上記固定接点２４、２４と接触開離する可動接点１２，１２を下向きに夫々固着してある。
【００３３】
さて上記隔壁２５ａ，２５ｂ間のボディ１上の中央部には、回路遮断器の開閉・トリップ機構部を支持するフレーム４を収納する収納凹所３５を設けてある。
【００３４】
フレーム４は収納凹所３５内の底面に載置され、ボディ１の外側底部より貫通させた固定ねじ３８をねじ孔３９に螺合して固定される固定片２及び該固定片２の両側から上記ボディ１の上方に向けて延出する一対の側片３を有しており、両側片３，３の上端部にはハンドル５を回動自在に枢支するハンドルピン１４を受ける軸孔４０を、またこの軸孔４０よりやや下方の片側に引外し板８を回動自在に枢支するピン１３を受ける軸孔３６を穿設し、また中央部にはコ字状のリンク６の上側軸６Ａをボディ１の両端方向に移動自在に挿通させる円弧状孔４１と、リンク６の下側軸６Ｂを上下方向に移動自在に挿通させ、上端が円弧状孔４１の一端（図１において左端）側に近い部位で連通した長孔４２とを穿設している。
【００３５】
また各側片３，３の端子装置１８ａ，１８ｂ側の下部の端面には先端が下向きに屈曲した引掛突起４３，４３を突設し、下向き先端を図７（ｂ）に示すように収納凹所３５の底部に設けた引掛口４４に係止し、フレーム４をボディ１に強固に固定できるようにしてある。
【００３６】
ハンドル５はフレーム４の上方に配置され、下部両側よりフレーム４の両側片３，３の外側面に沿うように垂下させる一対の脚片１１の基部付近に設けたピン挿通孔３７に、フレーム４の両側片３の軸孔４０を介して、ハンドルピン１４を挿入させることにより、フレーム４に跨るように回動自在に枢支される。また一方の脚片１１の下端に設けたリンク挿通孔４７からフレーム４の両側片３の円弧状孔４１を貫通して他方の脚片１１の下端に設けたリンク挿通孔４７にリンク６の上側軸６Ａを挿入している。この他方の脚片１１に設けたリンク挿通孔４７は上側軸６Ａの先端が外部に突出しないように脚片１１の外側は閉塞部（図示せず）により閉塞され、この脚片１１に近接配置されるバイメタル１０付近の充電部と、反対側の脚片１１側に近接する可動ばね板３０Ｂを含む充電部との絶縁隔離を図っている。
【００３７】
そしてハンドル５は、ハンドル５の下面に一端を係止し、他端を収納凹所３５の隔壁に係止し、環部をハンドルピン１４の一端に嵌めるねじりばね４５により、開極（オフ）方向に常時付勢される。
【００３８】
ここでハンドル５の脚片１１，１１をフレーム４の両側片３，３の外側に位置させることにより、フレーム４の両側片３，３の間を狭めることを可能とし、そのため収納凹所３５の幅を小さくでき、その結果本実施形態では収納凹所３５を囲繞する隔壁の厚みを厚くしてフレーム４の固定を強固にしてある。またハンドル５の操作面（図１では上面）からみた大きさを、下側のフレーム４を覆い隠すことができる大きさとし、フレーム４の絶縁を図っている。
【００３９】
フレーム４の両側片３，３間は作動板７と、引外し板８とが夫々配置されており、作動板７は、略中央部に設けた軸孔４６に、一方の側片３の長孔４２から挿入され、先端が他方の側片３の長孔４２に挿入されるリンク６の下側軸６Ｂが貫挿されてハンドル５にリンク６を介して連結され、ハンドル５の回動操作により駆動されるようになっている。
【００４０】
一方引外し板８は逆Ｌに屈曲するとともに横片たる中央部４ａの先端を側方に延長した形状となっており、中央部８ａの基部付近に穿設した軸孔４８にフレーム４の一方の側片３の軸孔３６から挿入して他方の側片３の軸孔３６に挿入されるピン１３が貫挿されてフレーム４に回動自在に枢支される。また縦片８ｂの内側面には作動板７の一端７ａを係止する係止段部４９を形成するとともに、縦片８ｂの外側面と隔壁２５ｂとの間に圧縮配置するコイルスプリング５０により、係止方向に引外し板８を回動させる力を受けるようなっている。そして引外し板８の中央部４ａ先端から延長した側方延長片８ｃは更に延長してバイメタル１０の先端下面に平行し、バイメタル１０が熱によって撓んで変位したときに下向きの力を受ける応動片５１を設けてある。
【００４１】
上記作動板７の他端７ｂとボディ１の底面との間には駆動体９を上下動自在に配置しており、この駆動体９は両端部を収納凹所３５の両側へ突出させてその両端部の下面に一体形成しているＬ状突起部９ａ内に収納凹所３５の両側に配置されている可動ばね板３０Ａ，３０Ｂの自由端付近を入れて上記両端部の下面に可動ばね板３０Ａ，３０Ｂを弾接させることにより、上向きに付勢される。
【００４２】
このようにして端子装置１７ａ，１７ｂ、１８ａ，１８ｂ及び可動ばね体３０Ａ，３０Ｂ、バイメタル１０を配設するとともに、収納凹所３５に開閉・トリップ機構部の構成部材を組み込んだフレーム４を配設し、部材組み込みが完了したボディ１上にカバー１６を被着すれば本実施形態の回路遮断器が完成する。
【００４３】
ここでカバー１６はボディ１に被着したときに、ハンドル５を露出させる開口窓５２を中央部に設けている。
【００４４】
またカバー１６の両側壁の下端には薄肉の脚片５３，５３を一体突出させており、ボディ１に被着する際に、ボディ１の両側壁の外面に形成した凹平面５４、５４に沿うように脚片５３，５３を垂下させて凹平面５４に一体突設している被係止部たる係止突起５５，５５を脚片５３に形成している係止部たる係止孔５６，５６に、脚片５３の弾性及び係止突起５５の上端傾斜面５５ａを利用して係止させることにより、カバー１６をボディ１にワンタッチで固定できるようになっている。また図３に示すように脚片５３の厚みと凹平面５４の奥行きとを略等しく形成しているため脚片５３の外面とボディ１の外面とが面一となる。
【００４５】
更にカバー１６は両端側の壁より、ボディ１の隔壁２５ａ，２５ｂ上に載置される突出部５７を夫々一体形成しており、カバー１６をボディ１上に被着したときに各突出部５７に穿設してある通孔５８と、隔壁２５ａ，２５ｂにボディ１の外側底部に貫通させてある挿通孔５９とが連通し、通孔５８側から図５に示す取付ねじ６０を貫挿させることにより回路遮断器をボディ１の下側の取付部材（図示せず）へ固定できるようなっている。従って過大電流発生時の接点開極によって生じるアークガス圧によってもカバー１６の脱落を防止できる。尚通孔５８の内径は取付ねじ６０のねじ部の外径よりも大きく、取付ねじ６０の頭部の外径よりも小さくしてある。
【００４６】
ボディ１の両端側に露出する端子装置１７ａ，１７ｂ及び１８ａ，１８ｂを被蔽するためには図５に示す別体の端子カバー６１，６１を被着する必要がある。
【００４７】
そこで本実施形態に用いる端子カバー６１，６１は天井部に上記カバー１６の突出部５７の両側面に沿って垂下する係止片６２，６２を形成し、この係止片６２の先端の係止爪６３を上記突出部５７の両側面に形成している端子カバー取付用引掛凹所６４に係止することにより器体に固定されるようになっている。上記取付部材へ取付ねじ６５を用いて固定する場合には端子カバ−６１の外側縁部の中央に設けた筒状リブ６６の通孔６７を利用する。
【００４８】
次に本発明の回路遮断器の動作を図７乃至図９を用いて説明する。
【００４９】
図７（ａ）（ｂ）はオフ状態を示しており、この状態では、ハンドル５は同図（ｂ）に示すようにねじりばね４５の付勢によりハンドルピン１４を中心として図において反時計方向の回動力が与えられて図示するオフ状態位置にある。このときリンク６の上側軸６Ａは円弧状孔４１の右端へ移動し且つ下側軸６Ｂは長孔４２の上端に移動し、作動板７を上方へ引き上げている。引外し板８は縦片８ｂの下端部がコイルスプリング５０により押圧され、ピン１３を中心として図において時計方向の回動力を与えられている状態にある。
【００５０】
この状態では引外し板８の縦片８ｂの係止段部４９から作動板７の一端７ａが外れており、駆動体９は両側の可動ばね体３０Ａ，３０Ｂにより上方へ押し上げられた状態にある。そして可動ばね体３０Ａ，３０Ｂの可動接点１２，１２は対向する固定接点２４，２４から開離して開極（オフ）状態にある。
【００５１】
次に図７のオフ状態において、ハンドル５の上側に位置している操作面を下向きに押すと、ハンドル５はねじりばね４５のばね付勢に抗してハンドルピン１４を中心として時計方向に回動し、この回動に伴って脚片１１の下部に貫挿してあるリンク６の上側軸６Ａは円弧状孔４１を右端から左端方向へ移動する。同時にリンク６の下側軸６Ｂは長孔４２内を下方向に移動し、作動板７を押し下げる。この作動板７の移動により作動板７の一端７ａが引外し板８の縦片８ｂの係止段部４９に当たり、更にハンドル５の上記操作面を下向きに押すと、一端７ａを中心として作動板７は他端７ｂを下向きに移動させる方向に回動する。この回動により他端７ｂが駆動体９を押し下げる。駆動体９は下方移動により両端部で可動ばね体３０Ａ，３０Ｂの自由端をばね付勢に抗して押し下げる。この押し下げにより可動ばね体３０Ａ，３０Ｂの可動接点１２、１２がやがて固定接点２４、２４に接触し、更にリンク６の上側軸６Ａが長孔４２の位置を越えて円弧状孔４１の左端に至るまでハンドル５を操作すると、可動ばね体３０Ａ，３０Ｂが駆動体９の押圧によって撓んで、可動接点１２，１２と固定接点２４，２４との間に接点圧力を発生させる。また可動ばね体３０Ａ，３０Ｂのばね力と、ハンドル５に回動力を付勢するねじりばね４５の復帰力と、引外し板８の縦片８ｂを押すコイルスプリング５０のばね力と、リンク６と、引外し板８と、駆動体９と、作動板７と、ハンドル５の相互の関係により作動板７の一端７ａが引外し板８の縦片８ｂの係合段部４９に係止した状態で均衡が保たれることになる。この状態が図８（ａ）（ｂ）に示すオン状態である。このオン状態ではピン１３の枢支点から離れた引外し板８の中央部８ａの上面が図８（ｂ）に示すようにハンドルピン１４の下端に当接して引外し板８の回動が規制されるため、引外し板８が常に同一位置で止まることになり、引き外し特性に影響を及ぼし難いようになっている。
【００５２】
次にこのオン状態から手動操作によりオフ状態に戻す場合には、ハンドル５の上側となった操作面を押し下げれば良い。
【００５３】
つまりこの押し下げによりハンドル５はハンドルピン１４を中心として図において反時計方向に回動し、脚片１１の下端に貫挿してあるリンク６の上側軸６Ａは円弧状孔４１内を右端方向へ移動し、この移動とともにリンク６の下側軸６Ｂは長孔４２内を上方へ移動して、作動板７を上方へ引き上げる。この引き上げにより、上記均衡状態が崩れて上記係合段部４９と、作動板７の一端７ａとの係止状態が解かれ、可動ばね板３０Ａ，３０Ｂはそのばね力により駆動体９を押し上げながら自由端を上方へ移動させ、可動接点１２，１２を固定接点２４より開離する。一方ねじりばね４５の復帰力によりハンドル５は一気に回動し、この回動によりリンク６の上側軸６Ａは円弧状孔４１の右端へ、下側軸６Ｂは長孔４２の上端へ移動することになり、図７（ａ）（ｂ）に示すオフ状態に戻る。この場合作動板７の一端７ａが引外し板８の係止段部４９に係止可能な位置になるように、作動板７の他端７ｂは、該他端７ｂに対応するフレーム４の両側片３の側縁に一体に対向突設した一対の位置決め突起１５、１５に当接した状態となる。
【００５４】
ところで図８（ａ）（ｂ）に示すオン状態において、当該回路遮断器を介して電源に接続されている負荷回路に過大な電流が流れると、端子装置１８ａ、編組線３４、バイメタル１０、可動ばね板３０Ａ、可動接点１２、固定接点２４，端子装置１７ａの電路には過大な電流が流れてバイメタル１０が自己発熱する。この発熱によりバイメタル１０はその自由端を下向きに移動させる方向に変位して、該自由端と平行配置している引外し板８の応動片５１を駆動軸２９により図９（ａ）に示すように下向きに押すことになる。引外し板８は応動片５１に下向きの力を受けると、ピン１３を中心として図８（ｂ）において反時計方向に回動することになる。この回動により引外し板８の縦片８ｂは図９（ｂ）に示すようにコイルスプリング５０を圧縮する方向に移動し、その結果作動板７の一端７ａと係止段部４９との係止が外れることになる。これにより可動ばね体３０Ａ，３０Ｂのばね力により駆動体９を介して作動板７の他端７ｂに上向きの力が働き、作動板７は図示するようにリンク６の下側軸６Ｂを中心として時計方向に回動することになり、また可動ばね体３０Ａ，３０Ｂの自由端の可動接点１２，１２が固定接点２４，２４より開離して電流を遮断する。
【００５５】
そしてねじりばね４５の復帰力によりハンドル５はハンドルピン１４を中心として反時計方向に回動して、手動によるオフ操作時と同様に図７（ｂ）に示すオフ状態へ復帰することなる。
【００５６】
一方バイメタル１０は電流が流れなくなるため、元の状態に戻って引外し板８の応動片５１の押し下げを解除し、図７（ａ）の状態となる。引外し板８は応動片５１に対する押し下げ力が無くなるため、コイルスプリング５０のばね付勢により図９（ｂ）の位置からピン１３を中心として時計方向に回動し、図７（ｂ）の位置に戻ることになる。
【００５７】
このように本発明の回路遮断器ではハンドル５の手動操作により波動スイッチと同様な操作感覚でオンオフがき、また負荷回路に過大な電流が流れた場合にはバイメタル１０の働きにより開閉・トリップ機構部がトリップ動作し、該トリップ動作により接点部を強制的に開極して電流を遮断することができる。
（実施形態２）
本実施形態は実施形態１と同様に２極の回路遮断器を構成するものであって、図１０〜図１８に示すように合成樹脂成形品からなるボディ１及びカバー１６とで器体が構成され、ボディ１の両端の隔壁８０Ａ，８０Ｂの両側には両端において対となる端子装置１７ａ，１７ｂ、１８ａ，１８ｂが配設される端子配設部１９ａ，１９ｂ、２０ａ，２０ｂを設け、隔壁８０Ａ，８０Ｂ間には開閉・トリップ機構部を収納配設する収納凹所３５を設けてある。
【００５８】
各入力用端子装置１７ａ，１７ｂは図１０に示すように金属板を角筒状に折り曲げて形成した端子金具７０と、その端子金具７０の上片の中央に形成したねじ孔７１に螺合させる端子ねじ７２と、端子金具７０の外側開口に配置され、下端に切り起こして形成せる押さえばね片７３ａを端子金具７０内に挿入する金属製押さえ金具７３と、略Ｚ字状に折り曲げ形成された固定接点板７４とで構成され、固定接点板７４の上平片７４ａを端子金具７０の内側開口より押さえばね片７３ａと端子金具７０の内底部との間に挿入して端子ねじ７２により押さえばね片７３ａを介して押さえるようになっている。そして固定接点板７４の下平片７４ｂに固定接点２４を図１０において上向きに固着してある。
【００５９】
而してこれら入力用端子装置１７ａ、１７ｂは、図１１に示すようにボディ１の一端側の端子配設部１９ａ，１９ｂに端子金具７０を嵌め込み、端子金具７０の外側開口側に配置される押さえ金具７３の両側縁を、端子配設部１９ａ、１９ｂの開口部７５の両側開口縁７５ａの裏面と端子金具７０の両側片の端面との間に配置し、また固定接点板７４の下平片７４ｂを図１４（ｂ）に示すように収納凹所３５の両側のボディ１の底部へ延出して、該底部に形成せる傾斜面７６上に下平片７４ｂを載置するとともに下平片７４ｂの先端に形成した係止突片７４ｃをボディ１の底部に形成した差込溝７７に挿入係止することにより、ボディ１内に配設される。尚図中７６ａは固定接点板７４の裏面突出した固定接点１２の裏部を逃がすための凹溝である。
【００６０】
出力用端子装置１８ａ，１８ｂも図１０に示すように入力用端子装置１７ａ，１７ｂと同様な端子金具７０と、端子ねじ７２と、押さえ金具７３と、一端が端子金具７０の底部と押さえ金具７３の押さえばね片７３ａとの間に一端が挿入されて端子ねじ７２により押さえばね片７３ａを介して押さえられる固定端子板７８、７９とからなる。
【００６１】
一方の固定端子板７８は端子金具７０の外側にある他端が略Ｌ字状に折り曲げ形成された金属板からなり、他端部には過電流検出用のバイメタル１０の自由端に一端が溶着された編組線３４の他端が溶着される。
【００６２】
また他方の固定端子７９は平板状の金属板からなり、端子金具７０の外側に配置される他端には可動ばね板３０Ｂの一端が固定される。
【００６３】
而して出力側端子装置１８ａ，１８ｂは図１１に示すようにボディ１の他端側の端子配設部２０ａ，２０ｂに端子金具７０を嵌め込み、入力側端子装置１７ａ，１７ｂと同様に押さえ金具７３の両側縁を端子金具７０の両側片の端面と、ボディ１の開口部７５の開口縁７５ａの裏部との間に介在させ、図１４（ｂ）に示すように固定端子板７８，７９をボディ１の中央部の収納凹所３５の両側へ延出させて定位置に配設する。
【００６４】
バイメタル１０は、バイメタル１０と同様にフレーム収納部３５の両側に配設される可動ばね板３０Ａの一端上に一端を重ね、固定ねじ３１’をバイメタル１０の一端の孔１０ａと可動ばね板３０Ｂの一端の孔３０ａとを介して図１４（ｂ）に示すようにボディ１の外側底部（背面）の凹所９９の天井壁に貫通させた挿通孔１００に挿入して、前記凹所９９に収納するナット３２’に螺合締結することによりボディ１に可動ばね板３０Ａとともに固定される。そしてバイメタル１０は固定部位より略逆Ｌ字状に折り曲げられて図１０において上方に向け傾斜している。
【００６５】
可動ばね板３０Ａは中間部より上向き斜めに折り曲げられ、その自由端には上記固定接点２４と接触開離する可動接点１２を図１０において下向きに固着してある。
【００６６】
他方の可動ばね板３０Ｂは可動ばね板３０Ａと同様な形状に形成され且つ、同様に自由端側に可動接点１２を図１０において下向きに固着してある。
【００６７】
その固定側端を固定端子板７９の一端上に重ね、固定ねじ３１を可動ばね板３０Ａの一端に設けた孔３０ａと固定端子板７９の一端に設けた孔７９ａとを介してボディ１の外側底面（背面）の凹所（図示せず）の天井壁に設けた挿通孔（図示せず）に挿入して、凹所（図示せず）に収納するナット３２に螺合締結することによりボディ１に固定端子板７９とともに固定される。
【００６８】
ボディ１上の中央部に設けられたフレーム収納部３５は、隔壁８０Ａ，８０Ｂと側壁に囲まれた空間により構成され、回路遮断器の開閉・トリップ機構部を支持するフレーム４を収納する。
【００６９】
フレーム４はフレーム収納部３５内の底面に図１４（ａ）に示すように載置され、ボディ１の外側の凹所１０１側より貫通させた固定ねじ３８をねじ孔３９に螺合して固定される固定片２及び該固定片２の両側から上記ボディ１の上方に向けて延出する一対の側片３を有しており、両側片３，３の上端部にはハンドル５を回動自在に枢支するハンドルピン１４を受ける軸孔４０を、またこの軸孔４０よりやや下方の一片側に引外し板８’を回動自在に枢支するピン１３を受ける軸孔３６を穿設し、また他片側にはリンク８１及び作動板７’に貫挿させる連結ピン６９の端部を図１において上下移動自在に挿入する長孔１５を穿設している。
【００７０】
また各側片３，３の端子装置１８ａ，１８ｂ側の下部の端面には先端が下向きに屈曲した引掛突起４３，４３を突設して、その下向き先端をフレーム収納部３５の底部に設けた引掛口４４に係止し、フレーム４をボディ１に強固に固定できるようにしてある。
【００７１】
リンク８１は２枚のリンク片８１ａ，８１ａを並行させ、リンク片８１ａ，８１ａの中間部を連結片で連結したもので、図１０においてリンク片８１ａ，８１ａの上端部をハンドル５の下部に設けた一対の脚片１１、１１間に介在させ、一方の脚片１１に設けたピン挿通孔３７に外側から挿入した連結ピン８２がリンク片８１ａ，８１ａの上端部に設けたピン挿通孔８３を介して他方の脚片１１に設けたピン挿通孔３７に内側から挿入されることにより、リンク８１はハンドル５と連結するようになっている。そしてハンドル５の脚片１１とともにフレーム４の両側片３、３間に配置される。
【００７２】
ハンドル５は脚片１１の基部付近に設けたピン挿通孔８４とフレーム４の両側片３の軸孔４０とに貫挿させるハンドルピン１４により側片３，３間で回動自在に枢支される。
【００７３】
そしてハンドル５は、ハンドル５の下面に一端を当接し、他端を後述するピン１３に当接係止して圧縮され、環部を上記ピン挿通孔８４を穿設してある筒部８５に嵌めたねじりばね４５により、開極（オフ）方向に常時付勢される。
【００７４】
リンク８１の下端は、フレーム４の両側片３，３間に配置される作動板７’に連結される。
【００７５】
作動板７’は中央部に、リンク８１下端を収納するとともに接点部の開極時にリンク８１の下端側とともにハンドル５の脚片１１が臨む開口８６を形成し、開口８６の両側片の中央に穿孔したピン挿入孔８７にリンク８１のリンク片８１ａ，８１ａの下端に穿孔してあるピン挿入孔８８を介して連結ピン６９の両端部を挿入してリンク８１を回動自在に枢支してある。そしてこの連結ピン６９の両端がフレーム４の長孔１５に上下移動自在に挿入されることにより、作動板７’とリンク８１の枢支点を上下移動自在としている。
【００７６】
作動板７’の一端７ａ’を係止させる引外し板８’は、枠状に形成されその中央部の開口部８ａ’にフレーム４を嵌めて、フレーム４の両側片３，３の外側に配設されるもので、両側枠片（一対の側片）の一端に穿設したピン挿入孔８９を介してフレーム４の両側片３，３の軸孔３６に挿入するピン１３により、フレーム４に回動自在に枢支され、一端枠片からなるラッチ片８ｂ’の中央部より垂下させた垂下片８ｄ’の係止段部８ｅ’に作動板７’の一端７ａ’を係止させるとともに他端枠片の両側より張り出すように形成した応動部９１を、可動ばね板３０Ａとバイメタル１０との間に介在させてバイメタル１０の先部斜片に対して図１４（ｂ）に示すように平行に配置させるようになっており、該応動部９１はバイメタル１０が熱によって撓み変形したときに下向きの力を受ける対向部を構成する。また他端枠片の中央部はボディ１への組み込み時に、隔壁８０Ａの上面端部に設けたばね座９６に載置されるコイルばね９７により図１４（ａ）に示すように図において時計方向の回動力が与えられるようにばね付勢される。
【００７７】
上記作動板７’の他端７ｂ’とボディ１の底面との間には駆動体９’を図１０において、上下動自在に配置しており、この駆動体９’は両端部をフレーム収納部３５の両側壁の切欠溝６８を介してフレーム収納部３５外へ突出させてその両端部の下部に形成している係止凹部９ａ’内に、フレーム収納部３５の両側に配置してある可動ばね板３０Ａ，３０Ｂの自由端付近を入れて可動ばね板３０Ａ，３０Ｂにより上向きに付勢される。
【００７８】
また駆動体９’の中央突出部９ｂ’は作動板７’の他端７ｂ’の裏側の凹部に嵌合され、作動板７’の押し下げ力を受けるようになっている。
【００７９】
而してこのようにして端子装置１７ａ，１７ｂ，１８ａ，１８ｂ及び可動ばね板３０Ａ，３０Ｂ、バイメタル１０を配設するとともに、開閉・トリップ機構部の構成部材を組み込んだフレーム４をフレーム収納部３５内に配設して部材組み込みが完了したボディ１上にカバー１６を被着し、ボディ１の底面に図１４に示すように下蓋９８を取着すれば本実施形態の回路遮断器が完成する。
【００８０】
カバー１６は実施形態１と同様に中央部にハンドル５を露出させる開口窓５２を設けており、ボディ１上に被着したときにハンドル５を露出させる。
【００８１】
またカバー１６の両側壁の中央部には実施形態１と同様に薄肉の弾性脚片５３，５３を設けており、ボディ１にカバー１６を被着する際に、ボディ１の両側壁の外面に形成した凹平面５４、５４に沿うように脚片５３，５３を垂下させて凹平面５４、５４に一体突設している被係止部たる係止突起５５，５５を弾性脚片５３に形成している係止部たる係止孔５６，５６に、弾性脚片５３の弾性及び係止突起５５の上端傾斜面５５ａを利用して係止させることにより、カバー１６をボディ１にワンタッチで固定できるようになっている。尚係止脚片５３の厚みと凹平面５４の奥行きとを略等しく形成しているため弾性脚片５３の外面とボディ１の外面とが面一となる。
【００８２】
カバ−１６の両端両側には各端子装置１７ａ，１７ｂ、１８ａ，１８ｂの端子ねじ７２…に対応する孔９２が設けられ、外部よりドライバを挿入して端子ねじ７２を締め付けたり、緩めることができるようになっている。又両端の中央部には凹部９３を設け、この凹部９３の底部にボディ１の隔壁８０Ａ，８０Ｂに貫通させた取付ねじ挿通用の挿通孔９４と連通する挿通孔９５を設けてあり、これら挿通孔９５，９４を介して回路遮断器を分電盤等の取付部位に取付ねじにより固定できるようになっている。
【００８３】
次に本発明の回路遮断器の動作を図１３乃至図１８を用いて説明する。
【００８４】
図１３及び図１４はオフ状態を示しており、この状態では、ハンドル５は図１４（ａ）に示すようにねじりばね４５の付勢によりハンドルピン１４を中心として図において反時計方向の回動力が与えられて図示するオフ位置にある。このときリンク８１の連結ピン６９は図１４（ａ）において長孔１５内の左方へ移動し、作動板７’を左方へ移動させている。また引外し板８’はコイルばね９７のばね付勢によりピン１３を中心として時計方向に回動力が与えられている状態にある。
【００８５】
そしてこの状態では引外し板８’のラッチ片８ｂ’側の係止段部８ｅ’から作動板７’の一端７ａ’が外れており、駆動体９’は図１４（ｂ）に示すように両側の可動ばね板３０Ａ，３０Ｂにより上方（図では左方）へ押し上げられた状態にある。そして可動ばね板３０Ａ，３０Ｂの可動接点１２，１２は対向する固定接点２４，２４から開離して開極（オフ）状態にある。
【００８６】
次に図１３，図１４のオフ状態において、ハンドル５の前方に突出している操作面を押すと、ハンドル５はねじりばね４５のばね付勢に抗してハンドルピン１４を中心として時計方向に回動し、この回動に連動してリンク８１は連結ピン６９を回動中心として反時計方向に回動しながら、図１４（ａ）において連結ピン６９を長孔１５内において右方へ移動させる。同時に連結ピン６９は作動板７’を右方へ移動させる。この作動板７’の移動により作動板７’の一端７ａ’が引外し板８’のラッチ片８ｂ’側の係止段部８ｅ’に当たり、更にハンドル５の上記操作面を押すと、作動板７’は他端７ｂ’により駆動体９’をばね付勢に抗して右方向へ押し動かす。駆動体９’はこの移動により両端部で可動ばね板３０Ａ，３０Ｂの自由端をばね付勢に抗して押し、これにより可動ばね板３０Ａ，３０Ｂの自由端の可動接点１２、１２がやがて固定接点２４、２４に接触し、更にハンドル５の脚片１１が作動板７’の開口８６に臨んでリンク８１と脚片１１を連結する連結ピン８２が長孔１５の位置を図１６（ａ）に示すように越えるまでハンドル５を押し操作すると、図１６（ｂ）に示すように可動ばね板３０Ａ，３０Ｂが駆動体９’の押圧によって撓んで、可動接点１２，１２と固定接点２４，２４との間に接点圧力を発生させる。また可動ばね板３０Ａ，３０Ｂのばね力と、ハンドル５に時計方向に回動力を与えるねじりばね４５の付勢力と、リンク８１と、引外し板８’と、引外し板８’のコイルばね９７による付勢力と、駆動体９’と、作動板７’と、ハンドル５の相互の関係により作動板７’の一端７ａ’が引外し板８’のラッチ片８ｂ’側の係止段部８ｅ’に係止した状態で均衡が保たれることになる。
【００８７】
この状態が図１５及び図１６に示すオン状態である。このオン状態ではピン１３の枢支点から離れた引外し板８’の上面がハンドルピン１４の下端に当接して引外し板８’の回動が規制されるため、引外し板８’が常に同一位置で止まることになり、引き外し特性に影響を及ぼし難いようになっている。
【００８８】
次にこのオン状態から手動操作によりオフ状態に戻す場合には、ハンドル５の前方に突出している操作面を押し操作すれば良い。
【００８９】
つまりこの押し操作によりハンドル５はハンドルピン１４を中心として図１６（ａ）において反時計方向に回動し、脚片１１の下端に貫挿してある連結ピン８２の移動に連動してリンク８１が移動し、リンク８１に貫挿している連結ピン６９は長孔１５を左方向へ移動し、作動板７’を左方へ移動させる。この移動によって上記の均衡状態が崩れて上記係止段部８ｅ’と、作動板７’の一端７ａ’との係止状態が解かれ、可動ばね板３０Ａ，３０Ｂはそのばね力により駆動体９’を押して自由端を図１６（ｂ）に於いて左方へ移動させ、可動接点１２，１２を固定接点２４，２４より開離する。一方ねじりばね４５の復帰力によりハンドル５は一気に回動する。またハンドル５の回動により連結ピン８２は上方へ、また連結ピン６９は長孔１５内を左方向へ夫々移動することになり、図１３、図１４に示すオフ状態に戻る。
【００９０】
ところで図１５、図１６に示すオン状態において、当該回路遮断器を介して電源に接続されている負荷回路に過大な電流が流れると、端子装置１７ａ、固定接点２４、可動接点１２、可動ばね３０Ａ、バイメタル１０、編組線３４、端子装置１８ａの電路には過大な電流が流れてバイメタル１０が自己発熱する。この発熱によりバイメタル１０はその自由端を図１６（ｂ）において右方へ移動させるようにボディ１の底面方向に変位して、該自由端と平行配置している引外し板８’の応動部９１を駆動軸２９により押すことになる。引外し板８’は応動部９１に押圧力を受けると、ピン１３を中心としてコイルばね９７のばね付勢に抗して反時計方向に回動することになる。この回動により作動板７’の一端７ａ’と係止段部８ｅ’との係止が外れることになる。これにより可動ばね板３０Ａ，３０Ｂのばね力により駆動体９’を介して作動板７’の他端７ｂ’に左向きの力が働き、作動板７’は連結ピン６９を中心として時計方向に回動することになり、また可動ばね板３０Ａ，３０Ｂの自由端の可動接点１２，１２が固定接点２４，２４より開離して電流を遮断する。
【００９１】
そしてねじりばね４５の復帰力によりハンドル５はハンドルピン１４を中心として反時計方向に回動して、手動によるオフ操作時と同様にオフ状態に復帰することなる。
【００９２】
一方バイメタル１０は電流が流れなくなるため、元の状態に戻って引外し板８’の応動部９１の押圧を解除する。
【００９３】
図１７、図１８は上述の過電流が流れたときのトリップ動作時の状態を示す。
【００９４】
このように本発明の回路遮断器ではハンドル５の手動操作により波動スイッチと同様な操作感覚でオンオフがき、また負荷回路に過大な電流が流れた場合にはバイメタル１０の働きにより開閉・トリップ機構部がトリップ動作し、該トリップ動作により接点部を強制的に開極して電流を遮断する。
【０１１０】
【発明の効果】
請求項１の発明は、ボディの底面に取着される固定片及びこの固定片の両側から前記ボディの上方に向けて延出する一対の側片を有したフレームと、このフレームの側片間に回動自在に支持されるハンドルと、前記フレームの側片間に配設されるとともに前記ハンドルにリンクを介して略中央部が連結され、前記ハンドルの回動操作により駆動される作動板と、前記フレームに回動自在に枢支され、前記作動板の一端側を係止する方向の力を蓄積した状態で前記作動板の一端側を係止する引外し板と、前記作動板の一端側が前記引外し板に係止されている状態で前記ハンドルを回動操作したときに前記作動板の他端側で抑圧される駆動体と、前記フレームの両側に配設され、前記駆動体に抑圧されて閉極する接点と、この接点に過電流が流れたときに前記引外し板を駆動して前記作動板との係止状態を解除し、前記接点を強制開極するバイメタルと、を備えた回路遮断器において、前記引外し板の略中央部を前記フレームの一対の側片にピンを介して回動自在に枢支し、前記略中央部から一方側に前記作動板を係止させるとともに前記略中央部から他方側を前記バイメタルに対して平行に配置させたので、引外し板の略中央部が回動中心点となり、その結果従来例に比べてバイメタルの少しの変位量でも作動板との係止状態を解除することができ、またバイメタルの変位量が少なくできる関係から、バイメタルの配設スペースを狭くすることができ、コンパクト化が図れるという効果がある
【０１１１】
加えて、前記引外し板の中央部を前記フレームの一対の側片間内に配設するとともに、前記ハンドルを、ハンドルピンを介して前記フレームの一対の側片に枢支し、前記引外し板の一方側に前記作動板の一端側を係止するとともに前記引外し板の枢支点よりも他方側を前記ハンドルピンに当接させて前記引外し板の回動を規制するので、常に引外し板が略同一位置で止まることとなり、引外し特性に影響を及ぼしにくいものとなるという効果がある。
【０１１５】
請求項２の発明は、請求項１の発明において、前記バイメタルを前記ボディの長手方向に沿って延出させるので、バイメタルの長さを十分として、バイメタルの撓む量をかせぐことができてボディのコンパクト化が図れ、また前記接点の少なくとも一方の上側に配設したので、バイメタルの高さ方向のうち開閉トリップ機構の高さ分を差し引くことができ、更にコンパクト化が図れるという効果がある。
【図面の簡単な説明】
【図１】本発明の実施形態１の分解斜視図である。
【図２】同上のカバーを外した状態の上面図である。
【図３】同上の正面断面図である。
【図４】同上の上面図である。
【図５】同上の端子カバーを外した状態の分解斜視図である。
【図６】同上の端子カバーを装着した状態の一部破断せる正面図である。
【図７】同上のオフ状態の動作説明図である。
【図８】同上のオン状態の動作説明図である。
【図９】同上のトリップ時の動作説明図である。
【図１０】本発明の実施形態２の分解斜視図である。
【図１１】（ａ）は同上のカバーを外した状態の上面図である。
（ｂ）は同上のカバーを外した状態の側面図である。
【図１２】同上のカバーを外した状態の斜視図である。
【図１３】同上のオフ状態の上面図である。
【図１４】（ａ）は図１３のＡ−Ａ断面図である。
（ｂ）は図１３のＢ−Ｂ断面図である。
【図１５】同上のオン状態の上面図である。
【図１６】（ａ）は図１５のＡ−Ａ断面図である。
（ｂ）は図１５のＢ−Ｂ断面図である。
【図１７】同上のトリップ動作状態時の上面図である。
【図１８】（ａ）は図１７のＡ−Ａ断面図である。
（ｂ）は図１７のＢ−Ｂ断面図である。
【図１９】従来例の側断面図である。
【符号の説明】
１  ボディ
２  固定片
３  側片
４  フレーム
５  ハンドル
６  リンク
７  作動板
８  引外し板
９  駆動体
１０  バイメタル
１１  脚片
１２  可動接点
１４  ハンドルピン
１６  カバー
２４  固定接点
３０Ａ，３０Ｂ  可動ばね板
３７  ピン挿通孔
４０  軸孔
【図１】
0003769988.tif 000002
【図２】
0003769988.tif 000003
【図３】
0003769988.tif 000004
【図４】
0003769988.tif 000005
【図５】
0003769988.tif 000006
【図６】
0003769988.tif 000007
【図７】
0003769988.tif 000008
【図８】
0003769988.tif 000009
【図９】
0003769988.tif 000010
【図１０】
0003769988.tif 000011
【図１１】
0003769988.tif 000012
【図１２】
0003769988.tif 000013
【図１３】
0003769988.tif 000014
【図１４】
0003769988.tif 000015
【図１５】
0003769988.tif 000016
【図１６】
0003769988.tif 000017
【図１７】
0003769988.tif 000018
【図１８】
0003769988.tif 000019
【図１９】
0003769988.tif 000020